(57)【要約】【課題】あらゆる位置においてもＸ線可動絞りの絞り調整が容易に行なえるＸ線装置のＸ線可動絞りを提供することにある。【解決手段】Ｘ線照射範囲を調整するための可動制限羽根と、可動制限羽根を動作させる羽根開閉機構の回転軸と、この回転軸を手動で回転させるための操作ツマミと、可動制限羽根が収納されるケースとを備えたＸ線可動絞りにおいて、回転軸をケース内に貫通させ、ケース外に突出させた回転軸の両端部に操作ツマミを取り付けている構成としたことを特徴とする。【選択図】　　　　　図２
2004121407.tif 000002
【特許請求の範囲】
【請求項１】
Ｘ線照射範囲を調整するための可動制限羽根と、可動制限羽根を動作させる羽根開閉機構の回転軸と、この回転軸を手動で回転させるための操作ツマミと、可動制限羽根が収納されるケースとを備えたＸ線可動絞りにおいて、
回転軸をケース内に貫通させ、ケース外に突出させた回転軸の両端部に操作ツマミを取り付けていることを特徴とするＸ線可動絞り。
【請求項２】
可動制限羽根で制限されるＸ線照射範囲を照光する照光器をケース内に具え、照光器のスイッチをケース側面におけるそれぞれの操作ツマミが取り付けられた面に配置している請求項１に記載のＸ線可動絞り。
【発明の詳細な説明】
【０００１】
【発明の属する技術分野】
Ｘ線装置に取付けられ、Ｘ線照射範囲を調整するためのＸ線可動絞りに関するものであって、特に、移動型Ｘ線装置のＸ線可動絞りに適するものである。
【０００２】
【従来の技術】
Ｘ線装置によるＸ線撮影は、撮影部位に応じて適正なカセッテサイズを選択するとともに、過度のＸ線被曝を患者に与えないようにするためにＸ線可動絞りを用いてＸ線の照射範囲を調整する。Ｘ線装置のＸ線可動絞りは、通常、Ｘ線照射範囲を調整するための可動制限羽根と、可動制限羽根で制限されたＸ線照射範囲を照光する照光器とを具えている。そして、Ｘ線可動絞りのケース表面には、可動制限羽根の開閉を操作する操作ツマミと、照光器の照光スイッチが設けられている。
【０００３】
また、可動制限羽根はＸ方向に開閉動作を行なうための可動制限羽根とＹ方向に開閉動作を行なうための可動制限羽根とがあり、それぞれの可動制限羽根に対して操作ツマミが設けられている。
そして、一般的な据え置き式のＸ線装置においても、病院内を回診し、病室でＸ線撮影を行う移動型Ｘ線装置においても、操作ツマミ、照光スイッチは、Ｘ線可動絞りのケースの正面側にしか設けられていない（例えば特許文献１参照。）。
【０００４】
たとえば、従来の移動型Ｘ線装置について図７および図８に基づいて説明する。移動型Ｘ線装置Ａは、装置本体部Ｂ、Ｘ線部Ｃ、支柱Ｄ、アーム部Ｅとを具える。Ｘ線部Ｃは、Ｘ線発生部Ｃ１とＸ線可動絞りＣ２とを具える。Ｘ線部Ｃは、アーム部Ｅを介して支柱Ｄに上下動可能に支持されている。Ｘ線可動絞りＣ２には、ケース正面側にＸ方向用とＹ方向用の操作ツマミＣ３が設けられている。
装置本体部Ｂには、制御装置が搭載され、上部に設ける操作パネルＢ１でＸ線撮影条件を設定するようになっている。
【０００５】
そして、例えば病室内でＸ線撮影を行なう場合、まず、図７または図８に示すようにベッドＦの脇まで移動型Ｘ線装置Ａを移動させる。次にＸ線部Ｃを上下方向と水平方向に移動させながら患者の患部上方まで移動させる。そして、Ｘ線部ＣのＸ線可動絞りＣ２でＸ線の照射範囲を調整した後、Ｘ線撮影を行なう。
【０００６】
【特許文献１】
特開２００２−３４９６３号公報（第８図）
【０００７】
【発明が解決しようとする課題】
ところで、移動型Ｘ線装置Ａを用いてＸ線撮影を行なう場合、病室の大きさ、ベッドの配置等でＸ線可動絞りＣ２を操作する位置が異なる。具体的には、図７に示すように、ベッドＦの周囲全体に作業用スペースがある状態では、操作する者は、ベッドＦに対して移動型Ｘ線装置Ａが置かれた位置とは反対側に回って絞りの操作を行なう。このとき、Ｘ線可動絞りＣ２の操作ツマミＣ３が操作する者の正面となるので、操作する者はＸ線可動絞りＣ２のケース正面側に立って絞り操作を容易に行なうことができる。
【０００８】
しかし、図８に示すように、ベッドＦが壁際に配置されている場合には、操作する者は、壁Ｇが邪魔になってＸ線可動絞りＣ２のケース正面側に立って絞り操作を行なうことができない。したがって、操作する者は、Ｘ線可動絞りＣ２のケース裏面側となる装置本体部Ｂの近くに立って絞り操作を行なわなければならない。
【０００９】
なお、一般的な据え置き式のＸ線装置では、Ｘ線可動絞りを操作する位置はＸ線可動絞りの正面側と決まっており、操作ツマミ、照光スイッチは、Ｘ線可動絞りのケース正面にしか設けられていなくても作業に支障はない。
【００１０】
しかし、移動型Ｘ線装置の場合、ケース裏面側に立ってケース正面側に設ける操作ツマミＣ３を操作することとなった場合には、Ｘ線可動絞りＣ２のケース裏面側からＸ線可動絞りＣ２のケース正面側に手を回し、無理な姿勢で操作ツマミＣ３の操作を行なう必要がある。
【００１１】
また、Ｘ線可動絞りＣ２全体をＸ線発生部Ｃ１に対して回転させる構造としている場合には、操作ツマミＣ３が操作する者の正面に向くようにＸ線可動絞りＣ２全体をいちいち１８０度回転させる必要がある。ところで、Ｘ線可動絞りＣ２と装置本体部Ｂとはコードで接続するようにしており、このようにＸ線可動絞りＣ２を１８０度回す場合には、コードの長さを十分に取らなくてはならない。その結果、Ｘ線可動絞りＣ２のケース正面をそのまま正面の状態としたときにコードが大きくたるみ、コードの処理が複雑となる不具合がある。
【００１２】
また、ベッドＦが壁際に配置されている状態で、移動型Ｘ線装置Ａをベッドに対して斜めに位置づけした場合でも、無理な姿勢で操作ツマミＣ３の操作を行なう必要がある。さらにＸ線可動絞りＣ２全体を回転させる構造としていても、９０度以上はＸ線可動絞りＣ２を回転させる必要がある。
【００１３】
そこで、本発明の目的は、あらゆる位置においてもＸ線可動絞りの絞り調整が容易に行なえるＸ線可動絞りを提供することにある。
【００１４】
【課題を解決するための手段】
本発明は、Ｘ線照射範囲を調整するための可動制限羽根と、可動制限羽根を動作させる羽根開閉機構の回転軸と、この回転軸を手動で回転させるための操作ツマミと、可動制限羽根が収納されるケースとを備えたＸ線可動絞りにおいて、回転軸をケース内に貫通させ、ケース外に突出させた回転軸の両端部に操作ツマミを取り付けている構成としたことを特徴とする。
【００１５】
可動制限羽根は、歯車、回転軸などを用いた羽根開閉機構を介して所望の照射範囲となるように開閉動作が行なわれる。そして、本発明ではこの羽根開閉機構に用いる回転軸をＸ線可動絞りのケース内に貫通させ、回転軸の両端部をケース外部に出した後、回転軸の両端部に操作ツマミを固定する。この操作ツマミのどちらか一方を回転動作させることにより回転軸が回転し、羽根開閉機構を介して可動制限羽根の開閉が行なわれる。
【００１６】
このように、回転軸をケース内を貫通させてその両端部に操作ツマミを取り付けることにより、Ｘ線可動絞りのケース正面側と裏面側とに操作ツマミを設けることができる。そして、Ｘ線撮影時に、病室内のいかなる位置にＸ線可動絞りが位置づけされても、操作する者の正面に操作ツマミのいずれか一方を対向させることができる。その結果、無理な姿勢をとることなく、操作する者の近くに配置される操作ツマミによってＸ線可動絞りの照射範囲の調整が容易に行え、可動制限羽根の操作性の向上が図れる。
【００１７】
また、Ｘ線撮影位置の決定のためにＸ線可動絞り全体を回転させる構造としていても、Ｘ線可動絞りの回転動作角度を９０度以内にすることができる。その結果、Ｘ線可動絞りと装置本体部とを接続するためのコードの長さを従来よりも短くすることができ、コードの処理が容易となる。
【００１８】
また、Ｘ線は目に見えないので、Ｘ線可動絞りでは、Ｘ線照射範囲を可視光で照光して確認しながら設定する必要がある。通常、可視光をケース内に配設される照光器から照光しており、照光器のスイッチはＸ線可動絞りのケース側面に設けられる。
【００１９】
本発明では、照光器のスイッチを回転軸の両端部に取り付けられたそれぞれの操作ツマミの近く、すなわち、ケース側面における操作ツマミが設けられた面に設けることが好ましい。
【００２０】
このように、１８０度離れた位置に２つの操作ツマミを設けるだけでなく照光用のスイッチもそれぞれの操作ツマミの取り付け位置近くに設けることにより、Ｘ線装置のＸ線部が病室内でいかなる位置に配設されても、Ｘ線可動絞りによる照光器の照光動作およびＸ線照射範囲の設定が容易に行える。
【００２１】
【発明の実施の形態】
以下、本発明の実施の形態を図面に基づいて説明する。以下に示すＸ線可動絞りは移動型Ｘ線装置に用いるものである。なお、本発明のＸ線可動絞りは、固定型のＸ線装置にも適用できる。
【００２２】
図１は、本発明の第１実施形態にかかる移動型Ｘ線装置を示す。本発明の移動型Ｘ線装置１は、図１に示すように台車２上に、被写体にＸ線を照射するＸ線部３と、このＸ線部３を支持するアーム部４と、アーム部４を介してＸ線部３を昇降させる昇降機構を構成する支柱５と、装置本体部６とを具える。
台車２は、前輪２１と後輪２２を具え、台車２の前方に支柱５が突設され、台車２の後方に装置本体部６が搭載されている。
【００２３】
支柱５は、台車２の前方において垂直軸を中心として回転自在に支持されている。支柱５には、アーム部４のスライダ部４１が昇降可能に支持されている。アーム部４はスライダ部４１を支点として上下揺動可能に伸縮自在になっている。そして、アーム部４の先端部にＸ線部３が取り付けられている。
【００２４】
Ｘ線部３は、Ｘ線発生部３１とＸ線可動絞り３２とを具えている。Ｘ線発生部３１は図示していないがＸ線管を具える。Ｘ線発生部３１で照射されるＸ線は、Ｘ線可動絞り３２でＸ線の照射範囲が設定されて、患者に照射されるようになっている。
【００２５】
また、装置本体部６は、Ｘ線部３のＸ線照射条件の設定や、Ｘ線照射を行なうための操作パネル６１、制御装置（図示せず）を具える。
なお、支柱５内には、アーム部４およびＸ線部３の重量を支持しながら、アーム部４を昇降動作させるために、昇降機構を構成するための滑車、ワイヤ、バランス用弾性部材となるばねなどからなる部品が収納されている。
【００２６】
そして、移動型Ｘ線装置１を用いてＸ線撮影を行うには、支柱５に沿ってアーム部４を上下移動させながら、アーム部４の揺動動作および支柱５の回転によりＸ線部３を水平方向に移動させてＸ線部３を所定の位置まで移動させる。そして、装置本体部６でＸ線照射条件を設定した後、Ｘ線部３のＸ線可動絞り３２でＸ線照射範囲を設定し、患者へのＸ線照射を行う。
【００２７】
＜Ｘ線可動絞りの構成＞
次にＸ線可動絞り３２の具体的構成について図１から図５に基づいて説明する。Ｘ線可動絞り３２は、底面側を開口させたケース７１を具え、ケース７１外面には、絞り回転部７２、２つの第１操作ツマミ１１、２つの第２操作ツマミ１２、２つの照光スイッチ７３、メジャー７４が設けられている。
【００２８】
絞り回転部７２は、ケース７１の上部に設けられており、この絞り回転部７２を介してＸ線可動絞り３２がＸ線発生部３１の下部に回転可能に取り付けられる。なお、絞り回転部７２の回転中心部には、Ｘ線発生部３１で発生したＸ線をケース７１内に通すための孔７２ａが形成されている。
【００２９】
ケース７１内には、図３に示すように、可動制限羽根８１，８２と、可動制限羽根８１，８２の開閉を行う羽根開閉機構９１，９２と、照光器７５と、反射ミラー７６と、支持部材７７とを具える。
可動制限羽根８１，８２は、一対の羽根部８３がＸ方向に開閉する第１可動制限羽根８１と、一対の羽根部８４がＹ方向に開閉する第２可動制限羽根８２とを具える。
【００３０】
さらに、支持部材７７の上部開口部７８には、反射ミラー７６が取り付けられている。支持部材７７の一側部（図３において左側）には、照光器７５が固定されている。この照光器７５は図示していないがハロゲンランプを具えている。照光器７５で発光された光は、反射ミラー７６でケース７１の下方に向けて反射されて、ケース７１下方に位置される患者に照光される。なお、この反射ミラー７６はＸ線が透過するようになっている。
【００３１】
羽根開閉機構９１，９２は、第１可動制限羽根８１の開閉動作を行うための第１羽根開閉機構９１と、第２可動制限羽根８２の開閉動作を行うための第２羽根開閉機構９２とを具える。第１羽根開閉機構９１および第２羽根開閉機構９２は支持部材７７に支持されている。
【００３２】
（第１羽根開閉機構の構成）
第１羽根開閉機構９１は、図２、図３、図４に示すように、支持部材７７に回転可能に支持される第１回転軸９１ａを具える。第１回転軸９１ａの軸方向一端側（図３右側）には、図４に示すように、第１ベベルギア９１ｂが取り付けられており、この第１ベベルギア９１ｂに第２ベベルギア９１ｃを噛み合わせる。
【００３３】
第２ベベルギア９１ｃは、支持部材７７に回転可能に支持される伝達軸９１ｄの一端側に固定されており、伝達軸９１ｄの他端側には、伝達軸９１ｄと同期回転する第１平歯車９１ｅが固定されている。
第１平歯車９１ｅは、一方の羽根部８３を開閉動作させる第１羽根駆動歯車９３と噛み合い、さらに、第１羽根駆動歯車９３は、他方の羽根部８３を開閉動作させる第２羽根駆動歯車９４と噛み合う。
【００３４】
第１羽根駆動歯車９３は、円板状部材９３ａと、この円板状部材９３ａの外周部に固定される２つの円弧状の歯部材９３ｂとを具える。一方の歯部材９３ｂの外周には第１平歯車９１ｅに噛み合う歯が形成され、他方の歯部材９３ｂの外周には、第２羽根駆動歯車９４と噛み合う歯が形成されている。
【００３５】
さらに、円板状部材９３ａの外周縁の一部に半径方向に伸びるリンク部９３ｃを延設している。このリンク部９３ｃには、長孔９３ｄが形成されており、この長孔９３ｄ内に羽根部８３に設けるピン８５を移動可能に嵌め合わせる。
【００３６】
第２羽根駆動歯車９４は、円板状部材９４ａと、この円板状部材９４ａの外周部に固定される１つの円弧状の歯部材９４ｂとを具える。歯部材９４ｂの外周には第１羽根駆動歯車９３の歯部材９３ｂと噛み合う歯が形成されている。
【００３７】
さらに、円板状部材９４ａの外周縁の一部に半径方向に伸びるリンク部９４ｃを延設している。このリンク部９４ｃには、長孔９４ｄが形成されており、この長孔９４ｄ内に羽根部８３に設けるピン８５を移動可能に嵌め合わせる。
【００３８】
そして、第１回転軸９１ａの両端部には第１操作ツマミ１１が固定される。第１操作ツマミ１１のどちらか一方をまわすと他方の第１操作ツマミ１１と第１回転軸９１ａとが同期回転するようになっている。なお、第１操作ツマミ１１は、図２に示すように、ケース７１内から第１回転軸９１ａの両端部を突出させた状態で第１回転軸９１ａに固定される。
【００３９】
（第１羽根開閉機構による第１可動制限羽根の開閉動作）
本実施形態の第１羽根開閉機構９１による第１可動制限羽根８１の開閉動作について説明する。第１操作ツマミ１１を回転させると第１回転軸９１ａが回転し、第１ベベルギア９１ｂ、第２ベベルギア９１ｃ、第１平歯車９１ｅを介して第１羽根駆動歯車９３が回転し、さらに、第２羽根駆動歯車９４も回転する。第１羽根駆動歯車９３と第２羽根駆動歯車９４の回転動作に伴い、リンク部９３ｃ，９４ｃの長孔９３ｄ，９４ｄ内をピン８５が移動して第１可動制限羽根８１が開閉する。
【００４０】
（第２羽根開閉機構の構成）
第２羽根開閉機構９２は、図２、図３、図５に示すように、支持部材７７に回転可能に支持される第２回転軸９２ａを具える。第２回転軸９２ａの軸方向一端側には、図５に示すように、第２平歯車９２ｂが取り付けられており、この第２平歯車９２ｂに第２羽根駆動歯車９４の一方の羽根部８４を開閉動作させる第３羽根駆動歯車９５を噛み合わせ、さらに、第３羽根駆動歯車９５を、他方の羽根部８４を開閉動作させる第４羽根駆動歯車９６に噛み合わせる。
【００４１】
第３羽根駆動歯車９５も、円板状部材９５ａと、この円板状部材９５ａの外周部に固定される２つの円弧状の歯部材９５ｂとを具える。一方の歯部材９５ｂの外周には第２平歯車９２ｂに噛み合う歯が形成され、他方の歯部材９５ｂの外周には、第４羽根駆動歯車９６と噛み合う歯が形成されている。
【００４２】
さらに、円板状部材９５ａの外周縁の一部に半径方向に伸びるリンク部９５ｃを延設している。このリンク部９５ｃには、長孔９５ｄが形成されており、この長孔９５ｄ内に羽根部８４に設けるピン８６を移動可能に嵌め合わせる。
第４羽根駆動歯車９６は、円板状部材９６ａと、この円板状部材９６ａの外周部に固定される１つの円弧状の歯部材９６ｂとを具える。歯部材９６ｂの外周には第３羽根駆動歯車９５の歯部材９５ｂと噛み合う歯が形成されている。
【００４３】
さらに、円板状部材９６ａの外周縁の一部に半径方向に伸びるリンク部９６ｃを延設している。このリンク部９６ｃには、長孔９６ｄが形成されており、この長孔９６ｄ内に羽根部８４に設けるピン８６を移動可能に嵌め合わせる。
【００４４】
そして、第２回転軸９２ａの両端部には第２操作ツマミ１２が固定される。第２操作ツマミ１２のどちらか一方をまわすと他方の第２操作ツマミ１２と第２回転軸９２ａとが同期回転するようになっている。なお、第２操作ツマミ１２は、図２に示すように、ケース７１内から第２回転軸９２ａの両端部を突出させた状態で第２回転軸９２ａに固定される。
【００４５】
（第２羽根開閉機構による第２可動制限羽根の開閉動作）
本実施形態の第２羽根開閉機構９２による第２可動制限羽根８２の開閉動作について説明する。第２操作ツマミ１２を回転させると第２回転軸９２ａが回転し、第２平歯車９２ｂを介して第３羽根駆動歯車９５が回転し、さらに、第４羽根駆動歯車９６も回転する。第３羽根駆動歯車９５と第４羽根駆動歯車９６の回転動作に伴い、リンク部９５ｃ，９６ｃの長孔９５ｄ，９６ｄ内をピン８６が移動して、第２可動制限羽根８２が開閉する。
【００４６】
（照光器の照光スイッチの構成）
さらに、本実施形態では、図２に示すように、照光器７５の照光スイッチ７３を第１操作ツマミ１１と第２操作ツマミ１２が設けられているそれぞれのケース側面に設けている。照光スイッチ７３は、第１操作ツマミ１１と第２操作ツマミ１２の間で、これらの下方に設けられており、照光スイッチ７３のオン動作で照光器７５からＸ線撮影箇所に光が当てられる。この光の照光範囲がＸ線の照射範囲となる。
【００４７】
（Ｘ線撮影時の操作）
移動形Ｘ線装置１を、図１に示すように、壁際に配置されたベッドＦの側面に配置する場合の操作について説明する。
移動形Ｘ線装置１の装置本体部６をベッドＦの近くに置き、Ｘ線部３を持ちながらＸ線照射位置まで移動させる。
【００４８】
そして、操作する者は、装置本体部６の近くで、Ｘ線部３の裏面側に立ち、Ｘ線可動絞り３２の裏面側に設ける照光スイッチ７３を入れ、第１操作ツマミ１１と第２操作ツマミ１２を回転させながら、Ｘ線照射範囲を設定する。
【００４９】
ところで、移動形Ｘ線装置１を、図１に示すように、ベッドＦの側面に配置したときには通常、Ｘ線可動絞り３２のケース正面側が壁Ｇに向かってしまう場合が多い。しかしながら、本実施形態によれば、Ｘ線可動絞り３２のケース裏面側にも第１操作ツマミ１１と第２操作ツマミ１２を設けているので、Ｘ線可動絞り３２全体を回転させることなく、しかも、無理な姿勢となることなく、絞りの設定作業を簡単に行える。
【００５０】
また、ベッドに斜め方向からしかアプローチできない場合でもＸ線可動絞り３２を回転させることなく、第１操作ツマミ１１と第２操作ツマミ１２が操作する者の目の前に位置づけされるので、絞りの設定作業を簡単に行える。
【００５１】
なお、前記実施形態は、第１操作ツマミ１１と第２操作ツマミ１２とを同じ面に設けたが、図６に示すように、第１操作ツマミ１１と第２操作ツマミ１２とが別のケース側面に設けられるようにしてもよい。この場合は、第１操作ツマミ１１の第１回転軸と第２操作ツマミ１２の第２回転軸９２ａとが直交するようにケース７１内に配設する。図６に示す実施形態でも、操作性の向上が同様に望める。
【００５２】
【発明の効果】
以上のように、本発明は、Ｘ線可動絞りのケース正面側および裏面側の双方に操作ツマミを設けているので、病室内のいかなる状況においても、装置本体部の設置側から、または、その反対側からのどちら側からでも容易にＸ線照射範囲の設定を行うことが可能となる。また、Ｘ線可動絞りを一方向に９０度以上回す必要がなくなるので、Ｘ線可動絞りと装置本体部とを接続するためのコードの長さを従来よりも短くすることができ、コードの処理が容易となる。
その結果、素早く迅速にＸ線照射範囲の設定が行える効果があり、病室撮影の際の患者拘束時間の減少につながる効果が得られる。
【図面の簡単な説明】
【図１】本発明のＸ線可動絞りを具える移動型Ｘ線装置の全体斜視図である。
【図２】本発明の第１実施形態にかかるＸ線可動絞りの外観図である。
【図３】本発明の第１実施形態にかかるＸ線可動絞りの内部構造図である。
【図４】図３に示すＸ線可動絞りの第１羽根開閉機構の部分拡大図である。
【図５】図３に示すＸ線可動絞りの第２羽根開閉機構の部分拡大図である。
【図６】本発明の第２実施形態にかかるＸ線可動絞りの外観図である。
【図７】従来の移動型Ｘ線装置を用いたＸ線撮影状態を示し、Ｘ線可動絞りのケース正面側から作業を行う場合の説明図である。
【図８】従来の移動型Ｘ線装置を用いたＸ線撮影状態を示し、Ｘ線可動絞りのケース裏面側から作業を行う場合の説明図である。
【符号の説明】
１　移動型Ｘ線装置
３　Ｘ線部
３２　Ｘ線可動絞り
７１　ケース
７３　照光スイッチ
８１，８２　可動制限羽根
９１，９２　羽根開閉機構
９１ａ，９２ａ　回転軸
１１，１２　操作ツマミ
Ｆ　ベッド
Ｇ　壁
【図１】
2004121407.tif 000003
【図２】
2004121407.tif 000004
【図３】
2004121407.tif 000005
【図４】
2004121407.tif 000006
【図５】
2004121407.tif 000007
【図６】
2004121407.tif 000008
【図７】
2004121407.tif 000009
【図８】
2004121407.tif 000010